(57)【要約】【課題】浴槽のフランジ部の内周縁下方に形成されたフランジ段部に載せた風呂蓋の安定性が高く、更には、フランジ段部での水切れが良い浴槽を提供する。【解決手段】浴槽１１０は、湯を溜める浴槽本体１１１の上端縁の周囲にフランジ部１１２を有する。浴槽本体１１１の長手方向に沿うフランジ部１１２の内周縁に、フランジ部１１２の上面より低い第１フランジ段部１１３が形成されている。浴槽本体１１１の短手方向の両端部における第１フランジ段部１１３は、それぞれ内周縁で低くなる傾斜を有し、互いに傾斜の角度θ２が同じである。【選択図】図４
2020078760.tif 000002
【特許請求の範囲】
【請求項１】
湯を溜める浴槽本体の上端縁の周囲にフランジ部を有する浴槽であって、
前記浴槽本体の長手方向に沿う前記フランジ部の内周縁に、該フランジ部の上面より低い第１フランジ段部が形成されており、
前記浴槽本体の短手方向の両端部における前記第１フランジ段部は、それぞれ内周縁で低くなる傾斜を有し、互いに傾斜の角度が同じであることを特徴とする浴槽。
【発明の詳細な説明】
【技術分野】
【０００１】
本発明は、浴槽に関する。
【背景技術】
【０００２】
浴槽は、湯を溜める浴槽本体と、浴槽本体の上端縁のフランジ部とを備える。浴槽は、フランジ部に風呂蓋を載せ、浴槽本体に溜めた湯を保温する。風呂蓋は、保温性を高めるべく発泡樹脂等の断熱素材からなる芯材を有する蓋本体と、蓋本体の両面の縁部および外周端面を覆って補強する被覆部とを備える。
【０００３】
例えば、特許文献１には、フランジ部と、浴槽本体の上端縁に沿う上部開口部を有し、該上部開口部に風呂蓋を嵌合させたときに、フランジ部および風呂蓋の上面が略面一となる浴槽が開示されている。また、特許文献２には、浴槽本体の上端縁に上端面から一段低い段差面が設けられ、該段差面に移乗台を載せる浴槽が開示されている。
【先行技術文献】
【特許文献】
【０００４】
【特許文献１】特開２００５−９５４２６号公報
【特許文献１】特開２００１−２９２９２３号公報
【発明の概要】
【発明が解決しようとする課題】
【０００５】
しかしながら、特許文献１に記載の浴槽は、風呂蓋を上部開口部に嵌合させているが、風呂蓋の載せ方によっては、風呂蓋が安定しない蓋然性があるという問題点があった。また、特許文献２に記載の浴槽は、段差面が水平であると段差面に水が滞留し、水垢やカビの原因になってしまうという問題点があった。
【０００６】
本発明は、斯かる事情に鑑みてなされたものであり、その目的とするところは、浴槽のフランジ部の内周縁下方に形成されたフランジ段部に載せた風呂蓋の安定性が高く、更には、フランジ段部での水切れが良い浴槽を提供することにある。
【課題を解決するための手段】
【０００７】
本発明に係る浴槽は、湯を溜める浴槽本体の上端縁の周囲にフランジ部を有する浴槽であって、前記浴槽本体の長手方向に沿う前記フランジ部の内周縁に、該フランジ部の上面より低い第１フランジ段部が形成されており、前記浴槽本体の短手方向の両端部における前記第１フランジ段部は、それぞれ内周縁で低くなる傾斜を有し、互いに傾斜の角度が同じであることを特徴とする。
【０００８】
本発明にあっては、浴槽は、浴槽本体の短手方向の両端部における第１フランジ段部が、それぞれ内周縁で低くなる傾斜を有し、互いに傾斜の角度が同じである。このため、浴槽は、風呂蓋が自重で撓む場合も含み、風呂蓋に着座した際の荷重で風呂蓋が撓むことによって、風呂蓋と第１フランジ段部との接触面積が増し、風呂蓋の安定性が高くなる。
【発明の効果】
【０００９】
本発明によれば、浴槽は、風呂蓋が自重で撓む場合も含み、風呂蓋に着座した際の荷重で風呂蓋が撓むことによって、風呂蓋と第１フランジ段部との接触面積が増し、風呂蓋の安定性が高くなる。
【図面の簡単な説明】
【００１０】
【図１】実施形態に係る浴槽の使用状態を示す斜視図である。
【図２】実施形態に係る浴槽の外観を示す斜視図である。
【図３】風呂蓋の外観を示す斜視図である。
【図４】浴槽の長手方向の縦断面図である。
【図５】図２の第１フランジ段部におけるＸ部分の拡大断面図である。
【図６】風呂蓋に着座して使用する場合の使用状態を示す模式図である。
【図７】風呂蓋に着座して使用する場合の撓みを説明するための模式図である。
【発明を実施するための形態】
【００１１】
以下、本発明を好適な実施の形態をもとに図１から図７を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１２】
図１は本発明の実施形態に係る浴槽１１０の使用状態を示す斜視図、図２は本発明の実施形態に係る浴槽１１０の外観を示す斜視図、図３は風呂蓋１００の外観を示す斜視図、図４は浴槽１１０の長手方向の縦断面図である。尚、図１、図３および図４は、後述する風呂蓋１００のクッション材１４を上側に向けた状態を表している。浴槽１１０は、上部に風呂蓋１００が載せられ、図示しない他の風呂蓋とともに浴槽１１０に溜めた湯を保温する。風呂蓋１００は、湯の保温以外にユーザが着座することや、テーブル代わりとしても使用される。
【００１３】
浴槽１１０は、湯を溜める浴槽本体１１１を有し、平面視矩形状である。浴槽本体１１１の上端縁には、フランジ部１１２が形成されている。浴槽本体１１１の長手方向に沿うフランジ部１１２における両長辺の内周縁下方には、フランジ部１１２の上面より低く１段下がった第１フランジ段部１１３が長辺に沿って設けられている。また、浴槽本体１１１の長手方向の端部におけるフランジ部１１２の両短辺の内周縁下方には、フランジ部１１２の上面より低く１段下がった第２フランジ段部１１４が短辺に沿って設けられている。尚、浴槽１１０の外形形状は、平面視矩形状に限らず、楕円形状や、湾曲した辺を有する形状等であってもよい。
【００１４】
図１および図２に示す浴槽１１０は、第１フランジ段部１１３がフランジ部１１２の長辺２辺の内周縁に、第２フランジ段部１１４が短辺２辺の内周縁に設けられている。浴槽１１０は、第１フランジ段部１１３のみを有していても良い。また浴槽１１０は、第１フランジ段部１１３を有し、後述する浴槽１１０の端部１１５側におけるフランジ部１１２の短辺１辺の内周縁にのみ第２フランジ段部１１４を有するようにしても良い。
【００１５】
風呂蓋１００は、浴槽１１０の第１フランジ段部１１３に載せられ、浴槽１１０の長手方向の端部に寄せて配置する場合には第２フランジ段部１１４にも載せられる。風呂蓋１００は、洗い場に設けられたカウンター１１６とほぼ同じ高さにあり、浴槽１１０の長手方向の端部１１５に寄せて位置させた状態で、ユーザが風呂蓋１００およびカウンター１１６間を移乗して動作するのに適する。
【００１６】
風呂蓋１００は、矩形板状をなす蓋本体１を備え、蓋本体１の周縁部２で浴槽１１０の第１フランジ段部１１３に接触する。蓋本体１は、芯材１１、表面材１２及び１３、並びにクッション材１４を有する。芯材１１は、発泡ポリスチレン等の発泡樹脂製であり、浴槽１１０に溜めた湯の保温性を高めるため適度な厚みを有する矩形板状をなす。表面材１２は、ガラス繊維に合成樹脂を含浸した繊維強化樹脂（ＦＲＰ）の薄板であり、芯材１１の厚み方向の一面側を覆う。表面材１３は、ガラス繊維に合成樹脂を含浸した繊維強化樹脂（ＦＲＰ）の薄板の表面に保護膜としてポリプロピレン製シートを貼り付けてあり、芯材１１の厚み方向の他面側を覆う。ポリプロピレン製シートは、例えば革シボ調の表面加工を施し、意匠性を高めてある。
【００１７】
クッション材１４は発泡ポリエチレン等の発泡樹脂製であり、芯材１１の一面側を覆うように設けられている。クッション材１４は、縁部において、長辺１辺に沿う隆起部１４ａおよび短辺２辺に沿う隆起部１４ｂを有する。隆起部１４ａおよび１４ｂは連続している。クッション材１４は、隆起部１４ａを設けた長辺に対向する長辺の縁部においては、隆起部分を有しない。クッション材１４表面の隆起は、全体としてＣ字状をなす。隆起部１４ａおよび１４ｂは、視覚的に着座の方向性を示すとともに、ユーザの座り心地を良くしている。尚、クッション材１４は、例えば革シボ調の表面加工を施し、意匠性を高めてある。
【００１８】
周縁部２は、風呂蓋１００の短辺２辺に沿って延びる被覆部２１、風呂蓋１００の長辺１辺に沿って延びる被覆部２２、該長辺に対向する長辺１辺に沿って延びる被覆部２３を有する。
【００１９】
図５は、図２の第１フランジ段部１１３におけるＸ部分の拡大断面図である。以下、第１フランジ段部１１３における一方の長辺側について説明するが、他方の長辺側、および第２フランジ段部１１４における両短辺側についても同様であり、これらの部分については記載の簡潔化のため説明を省略する。
【００２０】
周縁部２の被覆部２１は、縁被覆部２１ａおよび端面被覆部２１ｂを有する。端面被覆部２１ｂは、蓋本体１の厚み方向の幅を有して蓋本体１の短辺に沿って延びる板状をなし、蓋本体１の外周端面を覆う。
【００２１】
縁被覆部２１ａは、端面被覆部２１ｂにおける蓋本体１の厚み方向の両端から蓋本体１の内向きに屈曲し、蓋本体１の短辺に沿って延びる板状をなし、蓋本体１のクッション材１４および表面材１３の表面の縁部を覆う。図５に示す断面において、縁被覆部２１ａは、端面被覆部２１ｂに連なる基端部から先端部までの寸法が、表面材１３側よりもクッション材１４側で大きくしてある。また、風呂蓋１００は、クッション材１４側を上にして第１フランジ段部１１３に載せており、表面材１３側の縁被覆部２１ａが第１フランジ段部１１３に線接触している。
【００２２】
縁被覆部２１ａおよび端面被覆部２１ｂは、例えばオレフィン系エラストマーで構成し、含有するポリプロピレンの量によって硬度を定める。縁被覆部２１ａおよび端面被覆部２１ｂは、均一な硬さとしても良いし、各部位の用途に応じた硬度としても良い。例えば、表面に傷がつき難くするためには、ＪＩＳ  Ｋ６２５３に従うショアＡ硬度を９０以上とすると良い。また、表面材１３側の縁被覆部２１ａは、ＪＩＳ  Ｋ６２５３に従うショアＡ硬度を８０以上９０未満とすることで、ユーザがクッション材１４側に着座したときに、風呂蓋１００が第１フランジ段部１１３の面に沿う方向に対してすべり難く安定性が高くなる。
【００２３】
次に、フランジ部１１２および第１フランジ段部１１３について詳細に説明する。フランジ部１１２は、内周縁側で低くなるように水平面４１に対して角度θ１で傾斜している。フランジ部１１２は平坦状であっても良いし、やや丸みを帯びた湾曲面状であっても良い。第１フランジ段部１１３は、平坦状をなし、内周縁側で低くなるように水平面４２に対して角度θ２で傾斜している。フランジ部１１２および第１フランジ段部１１３は、水平面に対して略４５度に傾斜する斜面によって接続されている。
【００２４】
第１フランジ段部１１３の傾斜の角度θ２は、０度より大きく３度以下の角度であり、例えば２度とする。第１フランジ段部１１３の傾斜は、勾配として規定してもよく、例えば第１フランジ段部１１３の幅を２０ｍｍとすると、２度相当の勾配は、内周縁で０．７ｍｍ低いことに相当する。フランジ部１１２の傾斜の角度θ１は、第１フランジ段部１１３の傾斜の角度θ２より大きい値とし、３度より大きく１５度以下の角度であり、例えば９度とする。フランジ部１１２の傾斜は、勾配として規定してもよく、例えばフランジ部１１２の幅を３２ｍｍとすると、９度相当の勾配は、内周縁で５ｍｍ低いことに相当する。尚、フランジ部１１２の傾斜の角度θ１は、水の流れが良くなるように大きくとることができるが、大きすぎると、フランジ部１１２に手を置いたときに滑り易くなるため、上限として１５度程度以下すると良い。
【００２５】
フランジ部１１２および第１フランジ段部１１３の傾斜の角度は、フランジ部１１２の両長辺２辺で同じであり、第２フランジ段部１１４の傾斜の角度は、第１フランジ段部１１３の傾斜の角度と同じである。
【００２６】
次に、浴槽１１０の動作について説明する。図６は風呂蓋１００に着座して使用する場合の使用状態を示す模式図であり、図７は風呂蓋に着座して使用する場合の撓みを説明するための模式図である。風呂蓋１００にユーザが着座して使用する場合、風呂蓋１００は、クッション材１４側を上にして浴槽１１０の第１フランジ段部１１３に載せる。クッション材１４は、ユーザが風呂蓋１００に着座したときに、適度な反発力で体重を支え、長時間の着座を可能にする。また、蓋本体１は、芯材１１の厚み方向の両面を繊維強化樹脂製の表面材１２および１３で覆っているので、強度が高く、ユーザの体重に耐える。クッション材１４の表面に革シボ調などの表面加工を施し、ユーザとの接触面を減らすような微細な凹凸があると、座った時に冷やっとする感覚を抑えることもできる。
【００２７】
クッション材１４の隆起部１４ａおよび１４ｂは、上述のとおり、全体としてＣ字状をなし、視覚的に着座の方向性を示す。即ち、隆起部１４ａおよび１４ｂは、隆起部１４ａを背中側にして着座することで、座り易くなる印象をユーザに与える。ユーザが隆起部１４ａを背中側にして着座したとき、大腿部は、縁部に沿って隆起のないクッション材１４の長辺に位置し、座り易い。
【００２８】
ユーザが風呂蓋１００に着座すると、図７の白抜き矢印が示すユーザの体重による荷重Ｐが風呂蓋１００の中央部にかかる。このとき、風呂蓋１００は、中央部で撓みδが生じる。風呂蓋１００の周縁部２は、浴槽１１０の内側が低くなるように傾斜する。第１フランジ段部１１３は、角度θ２で傾斜しているので、風呂蓋１００の周縁部２が傾斜することにより、表面材１３側の縁被覆部２１ａが第１フランジ段部１１３に対して、線接触から面接触するようになり、さらには表面材１３の縁部における外面が第１フランジ段部１１３に接触することになる。尚、風呂蓋１００が自重で撓む場合にも同様に、中央部で撓みが生じて周縁部２が傾斜し、第１フランジ段部１１３に対して、線接触から面接触するようになる。
【００２９】
表面材１３側の縁被覆部２１ａの厚みを大きくした場合、風呂蓋１００が撓んだときに、第１フランジ段部１１３に縁被覆部２１ａの外面が面接触し、表面材１３の外面が第１フランジ段部１１３に線接触して、風呂蓋１００と第１フランジ段部１１３との接触面積が増加し、水平方向に風呂蓋１００がずれにくくなって安定性が高くなる。
【００３０】
また、表面材１３側の縁被覆部２１ａの厚みを小さくした場合、風呂蓋１００が撓んだときに、縁被覆部２１ａと表面材１３の外面が第１フランジ段部１１３に面接触して、風呂蓋１００と第１フランジ段部１１３との接触面積が増加し、水平方向に風呂蓋１００がずれにくくなって安定性が高くなる。
【００３１】
風呂蓋１００は、第１フランジ段部１１３の長辺２辺に載せる場合、第１フランジ段部１１３の両長辺部で第１フランジ段部１１３が同じように傾斜しているので、荷重Ｐを受けたときに長手方向の周縁部２での第１フランジ段部１１３への接触面積が増す。また、浴槽１１０の端部１１５側に寄せて風呂蓋１００を載せた場合、ユーザが端部１１５側に背を向けて、端部１１５とは反対側に足を配置して座ったときに、風呂蓋１００は、ユーザの荷重Ｐを端部１１５とは反対側に多く受ける。風呂蓋１００は、荷重Ｐを受けたときに足側へ撓み、第２フランジ段部１１４が第１フランジ段部１１３と同じように傾斜しているので、さらに短手方向の周縁部２での第２フランジ段部１１４への接触面積が増す。
【００３２】
上述のとおり、フランジ部１１２の傾斜の角度θ１は、第１フランジ段部１１３の傾斜の角度θ２より大きい。フランジ部１１２にかかった水は、フランジ部１１２の傾斜の角度θ２が大きいことで、内周縁部に向かって流れ易い。フランジ部１１２の内周縁から第１フランジ段部１１３の外周縁にかけて形成された斜面で水の勢いが増す。第１フランジ段部１１３は、傾斜の角度θ２が角度θ１に比較して小さくしてあり、斜面を下って流れてきた水の勢いを抑え、ゆっくりと水切れ良く浴槽本体１１１へ水を導く。
【００３３】
次に、実施形態の浴槽１１０の特徴を説明する。
本発明の実施形態の浴槽１１０は、湯を溜める浴槽本体１１１の上端縁の周囲にフランジ部１１２を有する。浴槽本体１１１の長手方向に沿うフランジ部１１２の内周縁に、フランジ部１１２の上面より低い第１フランジ段部１１３が形成されている。浴槽本体１１１の短手方向の両端部における第１フランジ段部１１３は、それぞれ内周縁で低くなる傾斜を有し、互いに傾斜の角度θ２が同じである。浴槽１１０は、浴槽本体１１１の短手方向の両端部における第１フランジ段部１１３が、それぞれ内周縁で低くなる傾斜を有し、互いに傾斜の角度が同じであるため、風呂蓋１００が自重で撓む場合も含み、風呂蓋１００に着座した際の荷重で風呂蓋１００が撓むことによって、第１フランジ段部１１３への接触面積が増し、風呂蓋１００の安定性が高くなる。
【００３４】
また浴槽１１０は、浴槽本体１１１の長手方向の一端部におけるフランジ部１１２の内周縁に、フランジ部１１２の上面より低い第２フランジ段部１１４が形成されている。第２フランジ段部１１４は、内周縁で低くなる傾斜を有し、傾斜の角度が第１フランジ段部１１３の傾斜の角度と同じである。浴槽１１０は、風呂蓋１００が自重で撓む場合も含み、風呂蓋１００に着座した際の荷重で風呂蓋１００が撓むことによって、第２フランジ段部１１４への接触面積が増し、風呂蓋１００の安定性がさらに高くなる。
【００３５】
また浴槽１１０は、フランジ部１１２が、内周縁で低くなる傾斜を有している。浴槽１１０は、フランジ部１１２にかかった水がフランジ部１１２の傾斜によって内周縁から第１フランジ段部１１３および第２フランジ段部１１４へ流れる。浴槽１１０は、第１フランジ段部１１３および第２フランジ段部１１４に到達した水が第１フランジ段部１１３および第２フランジ段部１１４の傾斜によって浴槽本体１１１へ流れる。
【００３６】
また浴槽１１０は、第１フランジ段部１１３の傾斜の角度が、フランジ部１１２の傾斜の角度より小さい。浴槽１１０は、第１フランジ段部１１３で水の勢いを抑えるので、水切れが良い。
【００３７】
また浴槽１１０は、第１フランジ段部１１３の傾斜の角度が水平方向に対して０度より大きく３度以下である。浴槽１１０、第１フランジ段部１１３の傾斜の角度を水平方向に対して０度より大きく３度以下とすることで、第１フランジ段部１１３で水の勢いを抑えるので、水切れが良い。
【００３８】
上述の実施形態では、浴槽本体１１１の上端縁の周囲にフランジ部１１２を設けたもので説明したが、必ずしも全周にフランジ部１１２を設ける必要はなく、部分的に設けてあるものであってもよい。また、第１フランジ段部１１３は、浴槽本体１１１の長手方向に沿って全体に亘っている例で説明したが、必ずしも全体に亘ってフランジ段部が設けられている必要はなく、部分的に設けられていてもよい。また、浴槽本体１１１の長手方向に沿う第１フランジ段部１１３の短辺方向の幅が同じである説明をしたが、幅が異なるものであってもよい。また、浴槽本体１１１の長手方向の端部におけるフランジ部１１２が略直線状のもので説明をしたが、大きな円弧状である場合であってもよい。例えば、浴槽１１０の端部１１５の内周縁が円弧状であってもよい。端部１１５の円弧状の内周縁に沿って第２フランジ段部１１４が形成されていてもよいし、第２フランジ段部１１４が形成されずに端部１１５の内周縁が浴槽本体１１１の内側面に連なり、浴槽本体１１１の端部１１５側の内側面が円弧状となっているものでもよい。また、浴槽１１０の形状は、ほぼ左右対称の形状のものを説明したが、左右非対称の形状であってもよい。
【００３９】
態様１の浴槽は、湯を溜める浴槽本体の上端縁の周囲にフランジ部を有する浴槽であって、前記浴槽本体の長手方向に沿う前記フランジ部の内周縁に、該フランジ部の上面より低い第１フランジ段部が形成されており、前記浴槽本体の短手方向の両端部における前記第１フランジ段部は、それぞれ内周縁で低くなる傾斜を有し、互いに傾斜の角度が同じであることを特徴とする浴槽。
【００４０】
態様２の浴槽は、前記浴槽本体の長手方向の一端部における前記フランジ部の内周縁に、該フランジ部の上面より低い第２フランジ段部が形成されており、前記第２フランジ段部は、内周縁で低くなる傾斜を有し、傾斜の角度が前記第１フランジ段部の傾斜の角度と同じであることを特徴とする態様１に記載の浴槽。
【００４１】
態様３の浴槽は、前記フランジ部は、内周縁で低くなる傾斜を有していることを特徴とする態様１または態様２に記載の浴槽。
【００４２】
態様４の浴槽は、前記第１フランジ段部の傾斜の角度が、前記フランジ部の傾斜の角度より小さいことを特徴とする態様３に記載の浴槽。
【００４３】
態様５の浴槽は、前記第１フランジ段部の傾斜の角度が水平方向に対して０度より大きく、３度以下であることを特徴とする態様１から４のいずれか１項に記載の浴槽。
【００４４】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４５】
１１０  浴槽、  １１２  フランジ部、  １１３  第１フランジ段部、
１１４  第２フランジ段部。
【図１】
2020078760.tif 000003
【図２】
2020078760.tif 000004
【図３】
2020078760.tif 000005
【図４】
2020078760.tif 000006
【図５】
2020078760.tif 000007
【図６】
2020078760.tif 000008
【図７】
2020078760.tif 000009
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
湯を溜める浴槽本体の上端縁の周囲にフランジ部を有する浴槽であって、
前記浴槽本体の長手方向に沿う前記フランジ部の内周縁に、該フランジ部の上面より低い第１フランジ段部が形成されており、
前記浴槽本体の短手方向の両端部における前記第１フランジ段部は、内周縁において前記浴槽本体の上端縁に連なり、それぞれ内周縁で低くなる傾斜を有し、互いに傾斜の角度が同じであることを特徴とする浴槽。
【請求項２】
前記浴槽本体の長手方向の一端部における前記フランジ部の内周縁に、該フランジ部の上面より低い第２フランジ段部が形成されており、
前記第２フランジ段部は、内周縁において前記浴槽本体の上端縁に連なり、内周縁で低くなる傾斜を有し、傾斜の角度が前記第１フランジ段部の傾斜の角度と同じであることを特徴とする請求項１に記載の浴槽。
【請求項３】
前記フランジ部は、内周縁で低くなる傾斜を有していることを特徴とする請求項１または２に記載の浴槽。
【請求項４】
前記第１フランジ段部の傾斜の角度が、前記フランジ部の傾斜の角度より小さいことを特徴とする請求項３に記載の浴槽。
【請求項５】
前記第１フランジ段部の傾斜の角度が水平方向に対して０度より大きく、３度以下であることを特徴とする請求項１から４のいずれか１項に記載の浴槽。